Podtech/llm-jp-corpus-v4-ja_patent huggingface dataset:
【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
較正対象（７）に関して当該放射線撮像装置（２、３、４）を移動させて、各回の取得を前記装置の較正位置（ｘ）に関連付けて一連の取得を実行する工程と、
実行された前記取得に基づいて、前記装置の各々の較正位置（ｘ）に関連する投影パラメータ（ａx1、ｐx1）を決定する工程と、
前記取得工程時に前記装置が取っていない追加位置（ｙi）について、前記較正位置（ｘi）に関連する前記パラメータ（ａx1、ｐx1）に従って前記追加位置に関連する投影パラメータ値（ａyi、ｐyi）を決定する工程とを備えた放射線撮像装置の較正方法。
【請求項２】
前記投影パラメータ（ａx1、ｐx1）は、前記装置の空間内での配置の特徴を表わす幾何学的パラメータを含んでいる、請求項１に記載の方法。
【請求項３】
前記投影パラメータ（ａx1、ｐx1）は、放射線を放出する手段（３）及び画像を取得する手段（４）の特徴を表わす幾何学的パラメータを含んでいる、請求項１又は請求項２に記載の方法。
【請求項４】
前記投影パラメータは、画像を取得する手段（４）の平面（６）内で三次元空間における対象の投影を定義するグローバル行列の係数（ｐx1）を含んでいる、請求項１〜請求項３のいずれか一項に記載の方法。
【請求項５】
前記追加位置（ｙi）に関連する前記投影パラメータ（ａx1、ｐx1）は、前記較正位置に関連する前記投影パラメータ（ａx1、ｐx1）の補間則又は補外則により決定される、請求項１〜請求項４のいずれか一項に記載の方法。
【請求項６】
前記補間則は、線形、多項式型又は有理数型である、請求項５に記載の方法。
【請求項７】
前記追加位置（ｙi）に関連する前記投影パラメータ（ａx1、ｐx1）は、前記追加位置（ｙi）に最も近接した前記装置の前記較正位置（ｘi）に関連する前記投影パラメータ（ａx1、ｐx1）の結合により決定され、考慮に入れられる位置の数は５未満である、請求項１〜請求項６のいずれか一項に記載の方法。
【請求項８】
考慮に入れられる前記位置（ｘi）の数は２に等しい、請求項７に記載の方法。
【請求項９】
各々の装置較正位置（ｘi）に関連する前記投影パラメータ（ａx1、ｐx1）を決定する前記工程において、前記投影パラメータの幾つかは、既知の情報及び／又は他の幾何学的投影パラメータに依存する法則により定義される、請求項１〜請求項８のいずれか一項に記載の方法。
【請求項１０】
放射線を放出する手段（３）と、
較正対象（７）を設ける手段と、
該較正対象の画像を取得する手段と、
前記較正対象（７）に関して当該放射線撮像装置を移動させる手段と、
各回の取得を前記装置の較正位置に関連付けて一連の取得を実行する手段と、
実行された前記取得に基づいて、前記装置の各々の較正位置手段に関連する投影パラメータを決定する手段と、
前記取得時に前記装置が取っていない追加位置について、前記較正位置に関連する前記パラメータに従って前記追加位置に関連する前記投影パラメータ値を決定する手段とを備えた放射線撮像装置を較正する装置。
【請求項１１】
放射線を放出する手段（３）と、
較正対象（７）を設ける手段と、
該較正対象の画像を取得する手段と、
前記較正対象（７）に関して当該装置を移動させる手段と、
撮像対象（１０）を設ける手段と、
各回の取得を前記装置の較正位置に関連付けて一連の取得を実行する手段と、
実行された前記取得に基づいて、前記装置の各々の較正位置に関連する投影パラメータを決定する手段と、
前記取得時に前記装置が取っていない追加位置について、前記較正位置に関連する前記パラメータに従って前記追加位置に関連する前記投影パラメータ値を決定する手段と、
取得された前記画像及び前記較正段階時に決定された前記関連する投影パラメータ（ａxi、ｐxi、ａyi、ｐyi）から前記対象（１０）の三次元モデルを再構成する手段とを備えた取得画像から三次元モデルを再構成する装置。
【手続補正書】
【提出日】平成18年12月13日(2006.12.13)
【手続補正１】
【補正対象書類名】明細書
【補正対象項目名】０００４
【補正方法】変更
【補正の内容】
【０００４】
撮像処理鎖における様々な要因によって、形成されるＸ線画像にアーティファクトが混入する場合がある。これらの要因には、シンチレータ厚みの非一様性、読み出し電子回路のばらつき、管線束分布、及びシンチレータに重ねて設けられている被覆材料の不均一性等がある。これらの様々な要因から生ずる画像アーティファクトを補正するために、ゲイン補償マップを用いたゲイン較正法を実行することができる。上述の要因の幾つか、例えばコントラストのばらつき、並びにシンチレータ厚み及び被覆材料の不均一性によるアーティファクトは、検出器に入射するＸ線のスペクトルに大きく依存しているので、ゲイン補償マップは検出器に入射するＸ線スペクトルの関数となり得る。
【特許文献１】米国特許第6414315号
【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  遊技者が所定の遊技を実行可能であり、所定の遊技の結果として特定結果が得られたときに遊技者にとって有利な特定遊技状態とする遊技機であって、
各々が識別可能な複数種類の識別情報の可変表示を行うとともに遊技演出に用いられる画像を表示する画像表示装置と、
人為的操作により操作信号を出力する選択操作手段と、
動き補償予測符号化による圧縮データを含む動画像データを格納する圧縮データ格納手段と、
前記圧縮データ格納手段に格納されている動画像データから画像データを復号して、所定の格納領域にフレーム単位で格納するデータ伸張手段と、
前記画像表示装置における前記識別情報の可変表示の制御を行う可変表示制御手段と、
前記データ伸張手段によって所定の格納領域に格納された画像データを用いて、フレーム毎に画像を前記画像表示装置に順次表示させることによって動画再生を行うデータ再生手段と、
前記識別情報の表示態様がリーチ態様となったときにリーチ演出を実行するリーチ演出実行手段と、
前記リーチ演出実行手段によるリーチ演出を開始するときに遊技者に複数の選択肢を提示する選択肢提示手段とを備え、
前記リーチ演出実行手段は、前記リーチ演出として所定のキャラクタが可変表示中の識別情報に作用する動画像演出を行う動画像演出実行手段を含み、
前記動画像演出実行手段は、
前記データ再生手段に前記キャラクタが所定の動作を行う動画像を再生させる動画再生制御手段と、
前記動画再生制御手段による前記動画像の再生と前記可変表示制御手段による識別情報の可変表示とを同期して実行させる同期制御手段とを含み、
前記可変表示制御手段は、前記選択肢提示手段により選択肢の提示が行われたときの前記選択操作手段による操作信号の入力にもとづいて、識別情報の可変表示を、前記動画像演出を行う第１可変表示制御と前記動画像演出を行わない第２可変表示制御との何れにより行うかを決定する表示制御決定手段を含む
ことを特徴とする遊技機。
【手続補正２】
【補正対象書類名】明細書
【補正対象項目名】００１２
【補正方法】変更
【補正の内容】
【００１２】
【課題を解決するための手段】
本発明による遊技機は、遊技者が所定の遊技を実行可能であり、所定の遊技の結果として特定結果が得られたときに遊技者にとって有利な特定遊技状態（例えば、大当り遊技状態）とする遊技機であって、各々が識別可能な複数種類の識別情報の可変表示を行うとともに遊技演出に用いられる画像を表示する画像表示装置（例えば可変表示装置９）と、人為的操作により操作信号（例えば受光部６６ａ，６６ｂの出力信号）を出力する選択操作手段（例えばタッチ部１６１ａ，１６１ｂ。具体的には、例えば発光部６５ａ，６５ｂと受光部６６ａ，６６ｂとを含む人体センサ。）と、動き補償予測符号化による圧縮データを含む動画像データを格納する圧縮データ格納手段（例えばＣＧＲＯＭ８３）と、圧縮データ格納手段に格納されている動画像データから画像データを復号して、所定の格納領域にフレーム単位で格納するデータ伸張手段（例えば動画圧縮・伸張部８９におけるステップＳ２０８，ステップＳ２１５，ステップＳ２１６を実行する部分）と、画像表示装置における識別情報の可変表示の制御を行う可変表示制御手段（例えばＧＣＬ８１におけるステップＳ８０３を実行する部分）と、データ伸張手段によって所定の格納領域に格納された画像データを用いて、フレーム毎に画像を画像表示装置に順次表示させることによって動画再生（例えば図４８に示す処理）を行うデータ再生手段（例えばＧＣＬ８１におけるステップＳ２４５，ステップＳ２４６，ステップＳ２４１を実行する部分）と、識別情報の表示態様がリーチ態様となったときにリーチ演出を実行するリーチ演出実行手段と、リーチ演出実行手段によるリーチ演出を開始するときに遊技者に複数の選択肢を提示する選択肢提示手段（例えばＧＣＬ８１におけるステップＳ７０７。具体的には、表示態様選択画面を表示させる処理を実行する部分）とを備え、リーチ演出実行手段は、リーチ演出として所定のキャラクタが可変表示中の識別情報に作用する動画像演出を行う動画像演出実行手段を含み、動画像演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、可変表示制御手段は、選択肢提示手段により選択肢の提示が行われたときの選択操作手段による操作信号の入力にもとづいて、識別情報の可変表示を、動画像演出を行う第１可変表示制御と動画像演出を行わない第２可変表示制御との何れにより行うかを決定する表示制御決定手段（例えば演出制御用ＣＰＵ１０１におけるステップＳ７１〜ステップＳ７７を実行する部分）を含むことを特徴とするものである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】０４３０
【補正方法】変更
【補正の内容】
【０４３０】
【発明の効果】
以上のように、請求項１記載の発明では、リーチ演出実行手段が、リーチ演出として所定のキャラクタが可変表示中の識別情報に作用する動画像演出を行う動画像演出実行手段を含み、動画像演出実行手段は、データ再生手段にキャラクタが所定の動作を行う動画像を再生させる動画再生制御手段と、動画再生制御手段による動画像の再生と可変表示制御手段による識別情報の可変表示とを同期して実行させる同期制御手段とを含み、可変表示制御手段が、選択肢提示手段により選択肢の提示が行われたときの選択操作手段による操作信号の入力にもとづいて、識別情報の可変表示を、動画像演出を行う第１可変表示制御と動画像演出を行わない第２可変表示制御との何れにより行うかを決定する表示制御決定手段を含むことを特徴とするので、遊技者の操作による操作信号の入力にもとづいて識別情報の可変表示制御を決定することができ、遊技興趣の向上を図り、表示態様の切替によって動画像データに基づく多様な遊技演出を実行することができる。
【手続補正９】
【補正対象書類名】明細書
【補正対象項目名】０４３１
【補正方法】削除
【補正の内容】
【手続補正１０】
【補正対象書類名】明細書
【補正対象項目名】０４３２
【補正方法】削除
【補正の内容】
【手続補正１１】
【補正対象書類名】明細書
【補正対象項目名】０４３３
【補正方法】削除
【補正の内容】
【手続補正１２】
【補正対象書類名】明細書
【補正対象項目名】０４３４
【補正方法】削除
【補正の内容】
【手続補正１３】
【補正対象書類名】明細書
【補正対象項目名】０４３５
【補正方法】削除
【補正の内容】
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
高温で加工物（２０）に溶接を行うための装置（５０）であって、
そこを通る石英窓（７０）と溶接機（６３）を内部（５４）に通すための溶接通路とを有する加工物ハウジング（５２）を備え、
前記加工物ハウジング（５２）の内部（５４）がそこに前記加工物（２０）を収容するような大きさにされ、前記加工物ハウジング（５２）がその内部表面（６６）上に断熱性の遮熱コーティング（６８）を有する金属であり、
前記窓（７０）を通って前記加工物ハウジング（５２）の内部（５４）にある前記加工物（２０）に配光されたランプ熱源（７２）が設けられ、
前記ランプ熱源（７２）が、
ランプ出力ビーム（７４）を有する石英ランプ（７６）と、
前記石英ランプ（７６）を収容する冷却式ランプハウジング（７８）と、
前記冷却式ランプハウジング（７８）を支持し、前記加工物（２０）に対する前記ランプ出力ビーム（７４）の入射角と前記加工物（２０）からの前記ランプの距離とを定めるように調節可能になった支持体（８２）と
を含み、前記装置には更に、
シールドガスの制御可能な流れを前記加工物ハウジング（５２）の内部（５４）に供給し、前記加工物ハウジング（５２）の底部にガス分配構造（９４）を有するガス源（８６）と、
前記加工物ハウジング（５２）の内部（５４）にある前記加工物（２０）の
温度を感知する温度センサ（１００）と、
設定値入力（１０６）と前記温度センサ（１００）に応答する入力とを有する、前記加工物（２０）の温度に応じて前記ランプ熱源（７２）への電力を制御するフィードバック制御装置（１０４）と、
が設けられた装置。
【請求項２】
前記温度センサ（１００）が、パイロメータと熱電対（１０２）とから成る群から選択されることを特徴とする請求項１に記載の装置（５０）。
【請求項３】
前記加工物ハウジング（５２）が、隅部におけるガスのデッドスペースを回避するために、その隅部において湾曲した内部形状の壁（５６）を有することを特徴とする請求項１に記載の装置（５０）。
【請求項４】
高温で加工物（２０）を溶接するための方法であって、
前記加工物（２０）を提供する段階と、
溶接装置（５０）を提供する段階と、
を含み、前記溶接装置（５０）は、
そこを通る窓（７０）と溶接機（６３）を内部（５４）に通すための溶接通路とを有する加工物ハウジング（５２）を備え、
前記加工物ハウジング（５２）の内部（５４）がそこに前記加工物（２０）を収容するような大きさにされ、前記加工物ハウジング（５２）がその内部表面（６６）上に断熱材（６４）を有する金属であり、
前記窓（７０）を通って前記加工物ハウジング（５２）の内部（５４）にある前記加工物（２０）に配光されたランプ熱源（７２）と、
シールドガスの制御可能な流れを前記加工物ハウジング（５２）の内部（５４）に供給するガス源（８６）と、
前記加工物ハウジング（５２）の内部（５４）にある前記加工物（２０）の
温度を感知する温度センサ（１００）と、
設定値入力（１０６）と前記温度センサ（１００）に応答する入力とを有する、前記加工物（２０）の温度に応じて前記ランプ熱源（７２）への電力を制御するフィードバック制御装置（１０４）と、
前記溶接通路を通って前記加工物（２０）を溶接するように位置付けることができる溶接機（６３）と、
が設けられ、前記方法が更に、
前記加工物の温度が前記温度センサ（１００）によって感知されるように前記加工物ハウジング（５２）の内部（５４）に前記加工物（２０）を置く段階と、
前記加工物（２０）を前記シールドガス内に包み込むように前記ガス源（８６）を動作させる段階と、
前記設定値入力（１０６）と前記加工物（２０）の温度とに応じて前記ランプ熱源（７２）に給電することにより前記加工物（２０）を加熱する段階と、
前記溶接機（６３）を用いて前記加工物（２０）を溶接する段階と、
を含む方法。
【請求項５】
前記加工物（２０）を提供する段階が、前記加工物（２０）としてガスタービンエンジンの構成部品を提供する段階を含む請求項４に記載の方法。
【請求項６】
前記加熱段階が、前記溶接段階の前に前記加工物（２０）の溶接前熱処理を行う段階、前記溶接段階の間に前記加工物（２０）を溶接温度に維持する段階、又は前記溶接段階の後に前記加工物（２０）の溶接後熱処理を行う段階の少なくとも１つを含む請求項４に記載の方法。
【手続補正２】
【補正対象書類名】明細書
【補正対象項目名】０００６
【補正方法】変更
【補正の内容】
【０００６】
ＳＷＥＴ溶接法は、タービンブレード及びその他の超合金部品の溶接修理に対して有効に適用されてきた。しかしながら、この修理は比較的時間がかかる。又、この方法は、溶接オペレータが溶接作業の多数の異なる局面を一度に制御することが必要とされる。オペレータが高度な技能者であっても、この溶接作業を行うことは、能力を過剰に働かせることになり、場合によっては溶接が有効に行うことができない。
【特許文献１】米国特許第５，８９７，８０１号公報
【特許文献２】特開２０００−２１８３８７号公報
【特許文献３】米国特許 ３８１２３１８号明細書
【特許文献４】米国特許 ５３１９１７９号明細書
【特許文献５】米国特許 ５１５５３３６号明細書
【特許文献６】米国特許 ５８９７８０１号明細書
【特許文献７】米国特許 ６０５４６８７号明細書
【特許文献８】米国特許 ６１２１５７９号明細書
【特許文献９】米国特許 ６１２４５６８号明細書
【特許文献１０】米国特許 ６１７２３２７号明細書
【特許文献１１】米国特許 ６２９７４７４号明細書
【特許文献１２】米国特許 ６３３３４８４号明細書
【特許文献１３】米国特許 ６３６４９７１号明細書
【特許文献１４】米国特許 ６４３４３２７号明細書
【特許文献１５】米国特許 ６６３０９９１号明細書
【特許文献１６】米国特許出願公開第 ２００２／００２０６９６号明細書
【手続補正書】
【提出日】平成18年11月30日(2006.11.30)
【手続補正１】
【補正対象書類名】手続補正書
【補正対象項目名】手続補正４
【補正方法】変更
【補正の内容】
【手続補正４】
【補正対象書類名】明細書
【補正対象項目名】図面の簡単な説明
【補正方法】変更
【補正の内容】
【図面の簡単な説明】
【図１】  本発明の第３の実施形態に係る呼吸計測装置の概略を示すブロックダイアグラムである。
【図２】  本発明の第４の実施形態に係る心拍計測装置の概略を示すブロックダイアグラムである。
【図３】  本発明の第５の実施形態に係る生命徴候検知装置の概略を示すブロックダイアグラムである。
【図４】  前記第５の実施形態の呼吸信号、動作波形を示すタイミングチャートである。
【図５】  前記第５の実施形態の心拍信号、動作波形を示すタイミングチャートである。
【図６】  本発明の第６の実施形態に係る生命徴候検知装置の概略を示すブロックダイアグラムである。
【図７】  本発明の実施形態３４の概略を示すブロックダイアグラムである。
【手続補正２】
【補正対象書類名】手続補正書
【補正対象項目名】手続補正５
【補正方法】変更
【補正の内容】
【手続補正５】
【補正対象書類名】図面
【補正対象項目名】全図
【補正方法】変更
【補正の内容】
【図１】
2001134864.tif 000001
【図２】
2001134864.tif 000002
【図３】
2001134864.tif 000003
【図４】
2001134864.tif 000004
【図５】
2001134864.tif 000005
【図６】
2001134864.tif 000006
【図７】
2001134864.tif 000007
【手続補正３】
【補正対象書類名】手続補正書
【補正対象項目名】手続補正６
【補正方法】削除
【補正の内容】
【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】
画像に対して領域分割処理を実行することにより、前記画像に含まれる１乃至複数の領域を判定する領域分割手段と、
前記領域分割手段により文字領域と判定された領域が、誤認識された文字領域であるか否かを判定する判定手段と、
前記判定手段で誤認識された文字領域であると判定された領域以外の領域の位置に基づいて、前記画像における基準位置を設定する設定手段と、
を備えたことを特徴とする画像処理装置。
【請求項２】
前記判定手段は、前記基準位置の設定に関わる領域に対して、誤認識された文字領域か否かを判定することを特徴とする請求項１に記載の画像処理装置。
【請求項３】
前記判定手段は、前記文字領域に対して文字認識を実行し、その文字認識率に基づいて、誤認識か否かを判定することを特徴とする請求項１又は２に記載の画像処理装置。
【請求項４】
前記画像が、帳票に係る画像であることを特徴とする請求項１乃至３のいずれか１項に記載の画像処理装置。
【請求項５】
前記設定手段で設定された基準位置からの距離に基づいて、文字の読み取り処理を実行する文字読み取り手段を更に備えることを特徴とする請求項１乃至４のいずれか１項に記載の画像処理装置。
【請求項６】
前記設定手段は、前記判定手段で誤認識された文字領域であると判定された領域以外の領域のうち、所定位置の文字領域、または、最大の文字領域、または、４隅の文字領域のいずれかに基づいて、前記画像における基準位置を設定することを特徴とする請求項１に記載の画像処理装置。
【請求項７】
画像入力手段を介して入力された画像を処理する画像処理装置の画像処理方法であって、
前記入力された画像に対して領域分割処理を実行することにより、前記画像に含まれる１乃至複数の領域を判定する領域分割工程と、
前記領域分割工程で文字領域と判定された領域が、誤認識された文字領域であるか否かを判定する判定工程と、
前記判定工程で誤認識された文字領域であると判定された領域以外の領域の位置に基づいて、前記画像における基準位置を設定する設定工程と、
の各工程を画像処理装置が実行するための画像処理方法。
【請求項８】
コンピュータを、
画像に対して領域分割処理を実行することにより、前記画像に含まれる１乃至複数の領域を判定する領域分割手段、
前記領域分割手段により文字領域であると判定された領域が、誤認識された文字領域であるか否かを判定する判定手段、
前記判定手段で誤認識された文字領域であると判定された領域以外の領域の位置に基づいて、前記画像における基準位置を設定する設定手段、
として機能させるプログラムを記録した記録媒体。
【手続補正２】
【補正対象書類名】明細書
【補正対象項目名】００１１
【補正方法】変更
【補正の内容】
【００１１】
従って、本発明の目的は、画像に表されたノイズに影響されることなく、文字認識の位置を特定するための基準位置を設定し得る画像処理装置及び画像処理方法を提供することにある。
【手続補正３】
【補正対象書類名】明細書
【補正対象項目名】００１２
【補正方法】変更
【補正の内容】
【００１２】
【課題を解決するための手段】
本発明によれば、画像に対して領域分割処理を実行することにより、前記画像に含まれる１乃至複数の領域を判定する領域分割手段と、前記領域分割手段により文字領域と判定された領域が、誤認識された文字領域であるか否かを判定する判定手段と、前記判定手段で誤認識された文字領域であると判定された領域以外の領域の位置に基づいて、前記画像における基準位置を設定する設定手段と、を備えたことを特徴とする画像処理装置が提供される。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、本発明によれば、画像入力手段を介して入力された画像を処理する画像処理装置の画像処理方法であって、前記入力された画像に対して領域分割処理を実行することにより、前記画像に含まれる１乃至複数の領域を判定する領域分割工程と、前記領域分割工程で文字領域と判定された領域が、誤認識された文字領域であるか否かを判定する判定工程と、前記判定工程で誤認識された文字領域であると判定された領域以外の領域の位置に基づいて、前記画像における基準位置を設定する設定工程と、の各工程を画像処理装置が実行するための画像処理方法が提供される。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
また、本発明によれば、コンピュータを、画像に対して領域分割処理を実行することにより、前記画像に含まれる１乃至複数の領域を判定する領域分割手段、前記領域分割手段により文字領域であると判定された領域が、誤認識された文字領域であるか否かを判定する判定手段、前記判定手段で誤認識された文字領域であると判定された領域以外の領域の位置に基づいて、前記画像における基準位置を設定する設定手段、として機能させるプログラムを記録した記録媒体が提供される。
【手続補正１０】
【補正対象書類名】明細書
【補正対象項目名】００１９
【補正方法】削除
【補正の内容】
【手続補正書】
【提出日】平成19年8月27日(2007.8.27)
【手続補正１】
【補正対象書類名】明細書
【補正対象項目名】特許請求の範囲
【補正方法】変更
【補正の内容】
【特許請求の範囲】
【請求項１】 アプリケーション画像を作成しかつ表示するためのディジタルＸ線イメージング・システムであって、１つまたは複数のグリッド専用補正マップを格納するための手段と、１つまたは複数の非グリッド補正マップを格納するための手段と、前記グリッド専用補正マップのうちの少なくとも１つ及び前記非グリッド補正マップのうちの１つを選択するための手段と、前記選択されたグリッド専用補正マップ及び前記選択された非グリッド補正マップに基づいてアプリケーション画像を補正するための手段と、補正済みのアプリケーション画像を表示するための手段と、を備えるディジタルＸ線イメージング・システム。
【請求項２】グリッド無しの第１の画像を取得するための手段と、グリッド有りの第２の画像を取得するための手段と、前記第１及び第２の画像に基づいてグリッド画像を決定するための手段と、を備えるディジタルＸ線イメージング・システム。
【請求項３】 アプリケーション画像を作成しかつ表示するためのディジタルＸ線イメージング・システムであって、１つまたは複数のグリッド専用補正マップを格納するための手段と、１つまたは複数の非グリッド補正マップを格納するための手段と、前記グリッド専用補正マップのうちの少なくとも１つ及び前記非グリッド補正マップのうちの少なくとも１つを選択するための手段と、を備えるディジタルＸ線イメージング・システム。
【請求項４】 １つまたは複数のグリッドと１つまたは複数のその他の構成要素とを有するＸ線システムでアプリケーション画像を補正する方法であって、アプリケーション画像内のグリッドの影響を補正するためのグリッド専用補正マップを決定するステップと、その他の構成要素のうちの１つまたは複数に基づく影響に関してアプリケーション画像を補正するための非グリッド補正マップを決定するステップと、前記グリッド専用及び非グリッド補正マップに基づいてアプリケーション画像を補正するステップと、を含む方法。
【請求項５】 グリッド専用補正マップを決定する前記ステップが、グリッド無しの第１の画像を取得するステップと、グリッド有りの第２の画像を取得するステップと、前記第１及び第２の画像に基づいてグリッド専用補正マップを決定するステップと、を含む請求項４に記載の方法。
【請求項６】 第１及び第２の画像に基づいてグリッド専用補正マップを決定する前記ステップが、グリッド専用補正マップの１つまたは複数の値を次式［Ｙ2IJ−ＯＦＦ2IJ］＊［Ｙ1IJ−ＯＦＦ1IJ］-1に基づいて計算するステップを含み、上式において、Ｙ1IJ及びＹ2IJは第１及び第２の画像からのそれぞれの値に基づいており、またＯＦＦ1IJ及びＯＦＦ2IJは検出器のオフセットに基づいている、請求項５に記載の方法。
【手続補正書】
【提出日】平成19年7月10日(2007.7.10)
【手続補正１】
【補正対象書類名】明細書
【補正対象項目名】特許請求の範囲
【補正方法】変更
【補正の内容】
【特許請求の範囲】
【請求項１】
対話型の三次元画像処理装置であって、
ユーザによるリアルタイム操作入力が可能な、少なくとも１つの手動制御器と、
少なくとも１つの複数の部位から成るキャラクタを描画するための三次元データを記憶する記憶媒体と、
画素ごとにカラーデータと深度データとを含む画像データを記憶するバッファメモリと、
前記バッファメモリに接続される三次元グラッフィクスパイプラインと、
前記バッファメモリに接続され、輪郭線処理を前記画像データに適用して、前記キャラクタの周囲に境界線を生成するフィルタとを備え、
前記三次元グラッフィクスパイプラインは、少なくとも前記ユーザによるリアルタイム操作入力および前記キャラクタを表現する前記三次元データに基づいて、前記キャラクタに対応する画像データを前記バッファメモリにおいて描画し、
前記記憶媒体は、前記複数の部位それぞれに異なる識別値を記憶し、
前記フィルタは、前記バッファメモリに記憶されている画素の深度データと、前記部位の識別値とに基づいて、前記カラーデータを選択的に変更して境界線を生成する、三次元画像処理装置。
【請求項２】
前記フィルタは、前記画素に対応する深度データと、前記画素周辺に或る１つの画素に対応する深度データとの差を求め、これにより前記差が所定の閾値を上回った場合には、前記画素に対応する前記カラーデータを変更することを特徴とする、請求項１に記載の三次元画像処理装置。
【請求項３】
前記バッファメモリは、前記画素ごとにアルファ値を更に含み、
前記フィルタは、前記画素に対応するアルファ値を、前記画素の深度データに対応する値に設定することを特徴とする、請求項１に記載の三次元画像処理装置。
【請求項４】
前記フィルタは、前記画素に対応するアルファ値を、前記画素の深度と、その周辺の画素の深度との差に対応する値に設定することにより、前記バッファメモリに記憶されるカラーデータを選択的に変更することを特徴とする、請求項３に記載の三次元画像処理装置。
【請求項５】
前記画素は、前記画像においてＰ[ｘ、ｙ]であると指定され、前記フィルタは、前記画素の深度をＰ[ｘ−１、ｙ]であると指定される第１画素と、Ｐ[ｘ、ｙ−１]であると指定される第２画素の深度と比較することを特徴とする、請求項１に記載の三次元画像処理装置。
【請求項６】
前記画素は、前記画像においてＰ[ｘ、ｙ]であると指定され、前記フィルタは、前記画素の深度をＰ[ｘ＋１、ｙ]であると指定される第１画素と、Ｐ[ｘ、ｙ＋１]であると指定される第２画素の深度と比較することを特徴とする、請求項１に記載の三次元画像処理装置。
【請求項７】
複数の部位から成り、複数の部位ごとに識別値を記憶した三次元画像を描画するためのデータと、画像の画素に対応するカラーデータおよび深度データを記憶する画素メモリを含むコンピュータグラフィックスシステムにおける三次元画像処理方法であって、
（ａ）少なくとも１つの手動制御器からユーザのリアルタイム操作入力を取得するステップ、
（ｂ）前記画素メモリから画素データを読み出し、当該画素に対応する深度データと、部位の識別値とに基づいて、当該画素のカラーデータを選択的に変更するステップ、
（ｃ）前記三次元画像を描画するためのデータと、前記変更されたカラーデータと、前記リアルタイム操作入力とに基づいて、三次元画像を描画するステップ、
からなる三次元画像処理方法。
【請求項８】
前記三次元画像を描画するステップは、前記画素に対応する深度データと、前記画素の少なくとも１つの隣接画素に対応する深度データとの差を求め、これにより前記差が所定の閾値を上回った場合には、前記画素に対応する前記カラーデータを変更することを特徴とする、請求項８に記載の方法。
【請求項９】
前記画像メモリは、前記画素ごとにアルファ値を更に含み、
前記三次元画像を描画するステップは、前記画素に対応するアルファ値を、前期画素の深度データに対応する値に設定することを特徴とする、請求項８に記載の方法。
【請求項１０】
前記三次元画像を描画するステップは、前記画素に対応するアルファ値を、前記画素の深度と少なくとも１つの周辺画素の深度との差に対応する値に設定することを特徴とする、請求項９に記載の方法。
【請求項１１】
前記画素は、前記画像においてＰ[ｘ、ｙ]であると指定され、前記三次元画像を描画するステップは、前記画素の深度を、Ｐ[ｘ−１、ｙ]であると指定される第１画素と、Ｐ[ｘ、ｙ−１]であると指定される第２画素の深度と比較することを特徴とする、請求項８に記載の方法。
【請求項１２】
前記画素は、前記画像においてＰ[ｘ、ｙ]であると指定され、前記三次元画像を描画するステップは、前記画素の深度を、Ｐ[ｘ＋１、ｙ]であると指定される第１画素と、Ｐ[ｘ、ｙ＋１]であると指定される第２画素の深度と比較することを特徴とする、請求項８に記載の方法。
【請求項１３】
画像に境界線を引く処理をコンピュータに実行させるためのプログラムを記録したコンピュータ読み取り可能な記憶媒体であって、
前記画像の各画素の深度値をメモリから読み出す読み出しステップと、
読み出された深度値を用いて各画素がオブジェクトの縁であるかどうかを判別する判別ステップと、
縁上にある画素を境界線の色に変更する変更ステップとを前記コンピュータに実行させるためのプログラムを記録した記憶媒体。
【請求項１４】
前記判別ステップにおいて、コンピュータは、画素の深度値と、その画素の周辺にある画素の深度値との差を算出し、算出された差に基づいてオブジェクトの縁であるかどうかを判別する、請求項１３に記載の記憶媒体。
【請求項１５】
前記判別ステップにおいて、コンピュータは、画素の深度値と、その画素に隣接する画素の深度値との差を算出し、算出された差に基づいてオブジェクト縁であるかどうかを判別する、請求項１４に記載の記憶媒体。
【請求項１６】
前記変更ステップにおいて、コンピュータは、変更前の画像の色と、前記境界線の色とを前記差に応じた割合でブレンドすることによって、縁上にある画素を境界線の色に変更する、請求項１４に記載の記憶媒体。
【手続補正書】
【提出日】平成19年7月25日(2007.7.25)
【手続補正１】
【補正対象書類名】明細書
【補正対象項目名】発明の名称
【補正方法】変更
【補正の内容】
【発明の名称】駆動回路、表示装置、電子機器、シフトレジスタ回路
【手続補正２】
【補正対象書類名】明細書
【補正対象項目名】特許請求の範囲
【補正方法】変更
【補正の内容】
【特許請求の範囲】
【請求項１】
複数のレジスタ回路を有するシフトレジスタ回路と、
前記複数のレジスタ回路に対応する複数のデジタルデータラッチ回路と、を有し、
前記デジタルデータラッチ回路は、少なくとも、第１及び第２のトランジスタと、デジタルデータを保持する素子と、を有し、
前記第１のトランジスタのソース又はドレインの一方と、前記第２のトランジスタのソース又はドレインの一方と、は接続されており、
前記第２のトランジスタのソース又はドレインの他方と、前記デジタルデータを保持する素子と、は接続されており、
前記複数のレジスタ回路のうち、一のレジスタ回路を第１のレジスタ回路とし、前記第１のレジスタ回路と隣接するレジスタ回路を第２のレジスタ回路としたとき、
前記第１のトランジスタのゲート電極と、第１のレジスタ回路の出力部と、は接続されており、
前記第２のトランジスタのゲート電極と、第２のレジスタ回路の出力部と、は接続されており、
前記第１のレジスタ回路の入力部と、前記第２のレジスタ回路の出力部と、は接続されていることを特徴とする駆動回路。
【請求項２】
請求項１において、
前記複数のレジスタ回路は、それぞれ、クロックドインバータ回路とインバータ回路とを有するレジスタ回路を有し、
前記クロックドインバータ回路の出力部と前記インバータ回路の入力部とは接続されていることを特徴とする駆動回路。
【請求項３】
請求項１又は請求項２において、
前記第１のトランジスタのソース又はドレインの他方は、デジタルデータの入力手段と接続されており、
前記デジタルデータを保持する素子は、リセット信号を入力する手段と接続されていることを特徴とする駆動回路。
【請求項４】
請求項１又は請求項２において、
前記デジタルデータラッチ回路は、第３のトランジスタを有し、
前記第１のトランジスタのソース又はドレインの他方は、デジタルデータの入力部と接続されており、
前記第３のトランジスタのソース又はドレインの一方は、電源電圧と接続されており、
前記第３のトランジスタのソース又はドレインの他方は、前記デジタルデータを保持する素子と接続されており、
前記第３のトランジスタのゲート電極は、リセット信号が入力される信号線と接続されていることを特徴とする駆動回路。
【請求項５】
請求項４において、
前記第１及び第２のトランジスタはｎチャネル型トランジスタであり、前記第３のトランジスタはｐチャネル型トランジスタであることを特徴とする駆動回路。
【請求項６】
請求項４において、
前記第１及び第２のトランジスタはｐチャネル型トランジスタであり、前記第３のトランジスタはｎチャネル型トランジスタであることを特徴とする駆動回路。
【請求項７】
請求項１乃至請求項６のいずれか一項において、
前記デジタルデータを保持する素子は、２つのインバータ回路を有し、
前記２つのインバータ回路の一方の入力部と前記２つのインバータ回路の他方の出力部とが接続され、前記２つのインバータ回路の一方の出力部と前記２つのインバータ回路の他方の入力部とが接続されていることを特徴とする駆動回路。
【請求項８】
請求項１乃至請求項６のいずれか一項において、
前記デジタルデータを保持する素子は、容量素子であることを特徴とする駆動回路。
【請求項９】
請求項１乃至請求項８のいずれか一項に記載の駆動回路を有することを特徴とする表示装置。
【請求項１０】
請求項９に記載の表示装置を有することを特徴とする電子機器。
【請求項１１】
直列接続された複数のレジスタ回路を有し、
前記複数のレジスタ回路は、それぞれ、クロックドインバータ回路とインバータ回路とを有するレジスタ回路を有し、
前記クロックドインバータ回路の出力部と前記インバータ回路の入力部とは接続されていることを特徴とするシフトレジスタ回路。
【請求項１２】
請求項１１に記載のシフトレジスタ回路を有することを特徴とする表示装置。
【請求項１３】
請求項１２に記載の表示装置を有することを特徴とする電子機器。
【手続補正書】
【提出日】平成19年3月23日(2007.3.23)
【手続補正１】
【補正対象書類名】明細書
【補正対象項目名】発明の名称
【補正方法】変更
【補正の内容】
【発明の名称】表示装置
【手続補正２】
【補正対象書類名】明細書
【補正対象項目名】特許請求の範囲
【補正方法】変更
【補正の内容】
【特許請求の範囲】
【請求項１】  基板上に複数行のゲート線と複数列の信号線とをマトリックス状に配線し、これらの各交点に画素を配置してなる表示領域と、
前記複数列の信号線に逆極性の画素信号を出力すると共に、これらの信号線に出力する画素信号の極性を１水平走査期間毎に反転させる水平駆動回路とを備えた表示装置において、
前記信号線のうち逆極性の画素信号が印加された信号線を１水平走査期間のブランキング期間中にショートさせるためのリセットスイッチとして、薄膜トランジスタを用いて構成されたスイッチを前記基板上に設けたことを特徴とする表示装置。
【請求項２】  前記信号線のうちの複数本を１ブロックとし、前記水平駆動回路から１水平走査期間に出力される時系列の画素信号を当該１ブロック内の各信号線に順次供給するセレクタスイッチを備えたことを特徴とする請求項１記載の表示装置。
【請求項３】  前記リセットスイッチは、前記水平駆動回路の出力端子側に設けた
ことを特徴とする請求項１記載の表示装置。
【請求項４】  前記リセットスイッチは、前記信号線のうちの隣り合う信号線をショートさせる
ことを特徴とする請求項１記載の表示装置。
【請求項５】  前記リセットスイッチは、前記信号線のうちの同色の画素信号が印加される信号線をショートさせる
ことを特徴とする請求項１記載の表示装置。
【請求項６】  前記薄膜トランジスタは、多結晶シリコンを用いたものである
ことを特徴とする請求項1記載の表示装置。
【請求項７】  前記リセットスイッチとして、前記薄膜トランジスタからなるＣＭＯＳ構成のスイッチを設けた
ことを特徴とする請求項1記載の表示装置。
【手続補正３】
【補正対象書類名】明細書
【補正対象項目名】０００１
【補正方法】変更
【補正の内容】
【０００１】
【発明の属する技術分野】
本発明は、表示装置に関し、特に画素の駆動法としてドット反転駆動法を採るアクティブマトリックス型の表示装置に関する。
【手続補正４】
【補正対象書類名】明細書
【補正対象項目名】０００９
【補正方法】変更
【補正の内容】
【０００９】
本発明は、このような課題を解決するために成されたものであり、信号線の反転駆動に起因する消費電力を低減するとともに、縦クロストークの発生の低減を可能にした表示装置を提供することを目的とする。
【手続補正５】
【補正対象書類名】明細書
【補正対象項目名】００１０
【補正方法】変更
【補正の内容】
【００１０】
【課題を解決するための手段】
このような目的を達成するための本発明は、基板上に複数行のゲート線と複数列の信号線とをマトリックス状に配線し、これらの各交点に画素を配置してなる表示領域と、これらの複数列の信号線に逆極性の画素信号を出力すると共に、各信号線に出力する画素信号の極性を１水平走査期間毎に反転させる水平駆動回路とを備えた表示装置において、逆極性の画素信号が印加された信号線を１水平走査期間のブランキング期間中にショートさせるためのリセットスイッチを基板上に設けた構成となっている。このリセットスイッチは、薄膜トランジスタを用いて構成されたスイッチである。また、薄膜トランジスタは多結晶シリコンを用いたものであることが好ましい。さらにリセットスイッチは例えばＣＭＯＳ構成である。
【手続補正６】
【補正対象書類名】明細書
【補正対象項目名】００１１
【補正方法】変更
【補正の内容】
【００１１】
このような構成の表示装置では、逆極性の画素信号が印加された信号線を１水平走査期間のブランキング期間中にショートさせるスイッチを設けたことから、このブランキング期間中には、各信号線の電位が中間電位付近にまで回復する。このため、次の１水平走査期間では、中間電位付近にまで回復した信号線に対して、逆極性の画素信号を印加すれば良いことになり、信号線の電位を逆極性にするための画素信号の電位が約半減されることになる。ここで特に、信号線をショートさせるためのリセットスイッチを、電流駆動能力が高い多結晶シリコンを用いた薄膜トランジスタからなるＣＭＯＳ構成にしたことによって、ブランキング期間中に逆極性の画素信号が印加された信号線を十分にショートさせることが可能になる。
【手続補正７】
【補正対象書類名】明細書
【補正対象項目名】００４０
【補正方法】変更
【補正の内容】
【００４０】
【発明の効果】
以上説明したように、本発明の表示装置によれば、逆極性の画素信号が印加された信号線を１Ｈ期間のブランキング期間中にショートさせるリセットスイッチを、多結晶シリコンを用いた薄膜トランジスタからなるＣＭＯＳ構成にして基板上に設けたことで、１Ｈ期間のブランキング期間中に、信号線の電位を中間電位付近にまで回復させ、次の１Ｈ期間で信号線に印加する画素信号の電位を半減させることが可能になる。この結果、表示装置（特には水平駆動回路）の消費電力を削減することが可能になる。しかも、信号線の電位の遷移幅を半減させて飛び込み電位による画素電位の変動を小さく抑えることができるため、縦クロストークの発生を低減することが可能になる。
【手続補正書】
【提出日】平成19年1月18日(2007.1.18)
【手続補正１】
【補正対象書類名】明細書
【補正対象項目名】特許請求の範囲
【補正方法】変更
【補正の内容】
【特許請求の範囲】
【請求項１】
半導体層に接した正電極と負電極とを有し、前記正電極と前記負電極とが前記半導体層の光入射面と反対側の面にある太陽電池において、
前記半導体層の裏面に凹部があり、前記凹部のなかに前記正電極と前記負電極のうち一方の電極があり、前記半導体層の平面の法線方向から見て、他方の電極が前記一方の電極と重なる位置にあることを特徴とする太陽電池。
【請求項２】
前記他方の電極が前記半導体層の裏面全体にわたって広がっていることを特徴とする請求項１に記載の太陽電池。
【請求項３】
前記半導体層が単結晶Ｓｉからなり、その膜厚が５μｍ以上、５０μｍ未満であることを特徴とする請求項１又は２に記載の太陽電池。
【請求項４】
半導体層に接した正電極と負電極とを有する太陽電池の製造方法において、
前記半導体層の裏面に凹部を形成し、前記凹部のなかに導電体を含む液体を流し込むことによって、前記正電極と前記負電極のうち一方の電極を形成することを特徴とする太陽電池の製造方法。
【請求項５】
前記導電体を含む液体が半導体の液相成長の溶媒であり、前記凹部に前記溶媒を流し込むことによって、前記凹部のなかに濃い不純物濃度の半導体領域と前記一方の電極を形成することを特徴とする請求項４に記載の太陽電池の製造方法。
【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】 半導体接合部を有する半導体基板の主面に、銅箔と接合されるバスバー部を有して成る太陽電池において、
前記銅箔との接合部において、前記バスバー部はスリットを有して成ることを特徴とする太陽電池。
【請求項２】 前記バスバー部の厚みは、前記銅箔との接合部がその他の部位よりも厚いことを特徴とする請求項１に記載の太陽電池。
【請求項３】 前記半導体基板の主面に、前記バスバー部と交差するように形成されたフィンガー部を有することを特徴とする請求項１又は２に記載の太陽電池。
【請求項４】 前記スリットは、前記フィンガー部と平行な方向に形成されて成ることを特徴とする請求項３に記載の太陽電池。
【請求項５】 前記スリットは、前記フィンガー部と垂直な方向に形成されて成ることを特徴とする請求項３に記載の太陽電池。
【請求項６】 前記銅箔と前記バスバー部とは複数箇所で接合されることを特徴とする請求項１乃至５のいずれかに記載の太陽電池。
【請求項７】 前記銅箔と前記バスバー部との接合は半田を介して成るとともに、該半田は前記スリット内に埋まるように位置することを特徴とする請求項１乃至６のいずれかに記載の太陽電池。
【請求項８】 前記主面は、少なくとも表面又は裏面のいずれかを含むことを特徴とする請求項１乃至７のいずれかに記載の太陽電池。
【手続補正２】
【補正対象書類名】明細書
【補正対象項目名】００１０
【補正方法】変更
【補正の内容】
【００１０】
【課題を解決するための手段】
本発明の太陽電池は、半導体接合部を有する半導体基板の主面に、銅箔と接合されるバスバー部を有して成るものにおいて、前記銅箔との接合部において、前記バスバー部はスリットを有して成るものである。
上記太陽電池では、前記バスバー部の厚みは、前記銅箔との接合部がその他の部位よりも厚いことが好ましい。
上記太陽電池では、前記半導体基板の主面に、前記バスバー部と交差するように形成されたフィンガー部を有することが好ましい。
上記太陽電池では、前記スリットは前記フィンガー部と平行な方向に形成されて成ること、或いは、前記スリットは前記フィンガー部と垂直な方向に形成されて成ることが好ましい。
上記太陽電池では、前記銅箔と前記バスバー部とは複数箇所で接合されることが好ましい。
上記太陽電池では、前記銅箔と前記バスバー部との接合は半田を介して成るとともに、該半田は前記スリット内に埋まるように位置することが好ましい。
上記太陽電池では、前記主面は、少なくとも表面又は裏面のいずれかを含むことが好ましい。
【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】
所定量の１つ又は２つ以上の希ガスを含むガス混合物の組成を決定するためのシステムであって、
ガス混合物のラマンスペクトルを測定する手段と、
該測定されたラマンスペクトルに対する１つ又は２つ以上のラマン活性ガスの寄与に基づき、該ラマン活性ガスの基準スペクトルに関して、ガス混合物におけるラマン活性ガスの量（複数量）を定量的に決定し、該決定に基づきガス混合物における１つ又は２つ以上の希ガスの量を決定する、処理装置と
を備えている、システム。
【請求項２】
測定されたラマンスペクトルを１つ又は２つ以上の基準スペクトルと比較し、前記１つの基準スペクトルに対する又は２つ以上の基準スペクトルの各々に対する測定されたスペクトルの比率により、ガス混合物におけるそれぞれの基準スペクトルにより表されるガス成分の比率に関する尺度が提供される、基準手段を備えている、請求項１に記載のシステム。
【請求項３】
前記基準手段が、測定されたラマンスペクトルの１つ又は２つ以上のピークを１つ又は２つ以上の基準スペクトルの１つ又は２つ以上のピークとを比較し、好ましくは該比較を前記ピークの振幅及び／又は強度を較べることにより行う、比較手段を備えている、請求項２に記載のシステム。
【請求項４】
前記処理装置が、
ガス混合物中のラマン活性ガスの量を加算する手段と、
該加算された量をガス混合物の全量から減算し、該減算された量により１つ又は２つ以上の希ガスの量が表されるようにする、減算手段と
を備えている、請求項１に記載のシステム。
【請求項５】
ガス混合物中のラマン活性ガスの分圧を決定する手段と、
該決定されたガス混合物中のラマン活性ガスの分圧を加算する手段と、
該加算された分圧をガス混合物の全圧から減算し、該減算された圧力により１つ又は２つ以上の希ガスの分圧を表すようにする、減算手段と
を備えている、請求項１ないし４の何れか一項に記載のシステム。
【請求項６】
前記１つの基準スペクトル又は２つ以上の基準スペクトルの各々が、好適には既知の条件下で決定された純粋なガス成分又は所定のガス混合物に関するラマンスペクトルを表すものである、請求項１ないし５の何れか一項に記載のシステム。
【請求項７】
ガス混合物を含むサンプルセルと、
該サンプルセル中に光ビームを放射し、前記処理装置が該サンプルセルに好適に接続されて該サンプルセルから情報を受信するようにする、放射手段と
を備えている、請求項１ないし６の何れか一項に記載のシステム。
【請求項８】
前記サンプルセルが、圧力判定装置及び／又は温度判定装置を備えており、前記処理装置が前記圧力判定装置及び／又は温度判定装置に好適に接続されてそれらから情報を受信する、請求項７に記載のシステム。
【請求項９】
ガス混合物のレイリースペクトルを測定する手段を備えており、
前記処理装置が、測定されたラマンスペクトルに基づきガス混合物中のラマン活性ガスのレイリー線の予測強度を定量的に決定し、及び該決定からガス混合物中の１つ又は２つ以上の希ガスの量を決定する、解析手段を備えている、請求項１ないし８の何れか一項に記載のシステム。
【請求項１０】
前記解析手段が、
決定された各々のラマン活性ガスの量に対応するレイリー線の予測強度を決定する手段と、
該レイリー線の予測強度を加算する手段と、
該加算されたレイリー線の予測強度を、ガス混合物のレイリー線の測定された強度から減算し、該減算された強度により１つ又は２つ以上の希ガスの量を表されるようにする、減算手段と
を備えている、請求項９に記載のシステム。
【請求項１１】
希ガス、好ましくはキセノンの監視のための、請求項１によるシステムからなる、呼吸ガス監視装置。
【請求項１２】
所定量の１つ又は２つ以上の希ガスを含むガス混合物の組成を決定するための方法であって、
(a) ガス混合物のラマンスペクトルを測定し、
(b) 該測定されたラマンスペクトルに対する１つ又は２つ以上のラマン活性ガスの寄与に基づき、ラマン活性ガスの基準スペクトルに関して、ガス混合物におけるラマン活性ガスの量を定量的に決定し、
(c) 該ステップ(b)で決定されたラマン活性ガスの量に基づきガス混合物における１つ又は２つ以上の希ガスの量を決定する、
という各ステップを有することを特徴とする、ガス混合物の組成を決定するための方法。
【請求項１３】
前記ステップ(c)が、測定されたラマンスペクトルを１つ又は２つ以上の基準スペクトルと比較し、前記１つの基準スペクトルに対する又は２つ以上の基準スペクトルの各々に対する測定スペクトルの比率により、ガス混合物におけるそれぞれの基準スペクトルにより表されるガス成分の比率に関する尺度を提供する、というステップを含む、請求項１２に記載の方法。
【請求項１４】
前記ステップ(c)が、ガス混合物におけるラマン活性ガスの量を加算し、該加算した量をガス混合物の全量から減算し、該減算した量により１つ又は２つ以上の希ガスの量が表されるようにする、というステップを含む、請求項１２又は１３に記載の方法。
【請求項１５】
ガス混合物のレイリースペクトルを測定し、
測定されたラマンスペクトルに基づき、ガス混合物におけるラマン活性ガスのレイリー線の予測強度を定量的に決定し、
該予測強度からガス混合物中の１つ又は２つ以上の希ガスの量を決定する、という各ステップを含む、請求項１２ないし１４の何れか一項に記載の方法。
【請求項１６】
決定された各ラマン活性ガスの量に対応するレイリー線の予測強度を決定し、
該レイリー線の予測強度を加算し、
該加算されたレイリー線の予測強度をガス混合物のレイリー線の測定された強度から減算し、該減算された強度により１つ又は２つ以上の希ガスの量が表されるようにする、
という各ステップを含む、請求項１５に記載の方法。